(57)【要約】【課題】支持体設計の結果として決定された支持体の種類、及び数量を、実際の建設工事計画に反映すること、支持体を購入する側において、建設工事に対する予算管理を適切に行うことが出来るシステムを提供する。【解決手段】本発明の支持体数量算出システム１０は、配管１９を支持するための複数の支持体２１と、前記支持体２１に対して設定された種類構成１Ｔｅとを示す支持体情報２０を格納する支持体情報格納テーブル１２３Ｔと、前記配管１９の種類を示す配管情報３１に基づいて前記支持体情報格納テーブル１２３Ｔから前記支持体情報２０を抽出し、抽出した前記支持体情報２０と、前記配管１９に対する設定重量３３とに基づいて、前記配管１９を支持する前記支持体２１の各々の数量２３を算出する情報処理装置１１とを具備する。【選択図】図１
2004054359.tif 000002
【特許請求の範囲】
【請求項１】
配管を支持するための複数の支持体と、前記支持体に対して設定された種類構成とを示す支持体情報を格納する支持体情報格納テーブルと、
前記配管の種類を示す配管情報に基づいて前記支持体情報格納テーブルから前記支持体情報を抽出し、抽出した前記支持体情報と、前記配管に対する設定重量とに基づいて、前記配管を支持する前記支持体の各々の数量を算出する情報処理装置とを具備する支持体数量算出システム。
【請求項２】
複数の前記配管の各々は、互いに異なる複数のプラントのいずれかに備えられ、
前記支持体情報格納テーブルは、複数であり、前記複数の支持体情報格納テーブルの各々は、前記いずれかのプラントに備えられる前記配管に対する前記支持体情報を格納し、
前記情報処理装置は、前記いずれかのプラントを示すプラント情報に基づいて前記複数の支持体情報格納テーブルのいずれかを選定し、選定した前記支持体情報格納テーブルから前記配管情報に基づいて前記支持体情報を抽出する
請求項１に記載の支持体数量算出システム。
【請求項３】
前記いずれかのプラントは、ガスタービンと第１蒸気タービンを含むタービン、第２蒸気タービン、及び第３蒸気タービンのいずれかを含み、
前記第２蒸気タービンに備えられる前記配管において発生する第１蒸気の圧力は、前記第３蒸気タービンに備えられる前記配管において発生する第２蒸気の圧力と比較して小さくなるように設定され、
前記複数の支持体情報格納テーブルは、
前記タービンに備えられる前記配管に対する前記支持体情報を格納する第１支持体情報格納テーブルと、
前記第２蒸気タービンに備えられる前記配管に対する前記支持体情報を格納する第２支持体情報格納テーブルと、
前記第３蒸気タービンに備えられる前記配管に対する前記支持体情報を格納する第３支持体情報格納テーブルとを含み、
前記情報処理装置は、前記プラント情報に基づいて、前記第１支持体情報格納テーブル、前記第２支持体情報格納テーブル、及び前記第３支持体情報格納テーブルのいずれかを選定する請求項２に記載の支持体数量算出システム。
【請求項４】
前記配管の口径と、前記支持体の前記配管に対する設置間隔とを格納する設置間隔表示テーブルを更に具備し、
前記支持体情報は、前記配管の単位重量と前記口径を含み、
前記種類構成は、前記支持体の各々に対する構成割合を示し、
前記情報処理装置は、前記配管情報に基づいて前記支持体情報格納テーブルから前記単位重量を抽出し、前記口径に基づいて前記設置間隔表示テーブルから前記設置間隔を抽出し、前記抽出した単位重量と、前記設定重量とに基づいて前記配管の配管長を算出し、前記算出した配管長と前記抽出した設置間隔とに基づいて前記支持体の本数を算出し、前記算出した支持体の本数と前記構成割合とに基づいて前記数量を算出する
請求項１乃至３のいずれか一項に記載の支持体数量算出システム。
【請求項５】
前記支持体の各々は、複数であり、第１支持体と第２支持体とを含み、前記数量は、前記第１支持体に対する第１数量と、前記第２支持体に対する第２数量とを含み、
前記情報処理装置は、前記支持体の本数と前記設定重量とに基づいて前記支持体の各々に対する支持荷重を算出し、前記算出された支持荷重に基づいて前記第１数量と前記第２数量の各々を算出する
請求項１乃至４のいずれか一項に記載の支持体数量算出システム。
【請求項６】
前記設定重量は、前記配管に備えられる弁の重量を含む
請求項１乃至５のいずれか一項に記載の支持体数量算出システム。
【請求項７】
前記第１支持体と前記第２支持体の各々に対する料金単価を示す支持体料金表示テーブルを更に具備し、
前記情報処理装置は、前記算出した第１数量、前記算出した第２数量、前記支持体料金表示テーブルが示す前記料金単価に基づいて、前記第１支持体と前記第２支持体の各々に対する料金を算出する
請求項５又は６に記載の支持体数量算出システム。
【請求項８】
配管を支持するための複数の支持体と、前記支持体に対して設定された種類構成とを示す支持体情報を格納する支持体情報格納テーブルから、前記配管の種類を示す配管情報に基づいて前記支持体情報を抽出するステップと、
抽出した前記支持体情報と、前記配管に対する設定重量とに基づいて、前記配管を支持する前記支持体の各々の数量を算出するステップと
を具備する支持体数量算出方法。
【請求項９】
前記配管は、複数であり、複数の前記配管の各々は、互いに異なる複数のプラントのいずれかに備えられ、
前記いずれかのプラントは、ガスタービンと第１蒸気タービンを含むタービン、第２蒸気タービン、及び第３蒸気タービンのいずれかを含み、
前記第２蒸気タービンに備えられる前記配管において発生する第１蒸気の圧力は、前記第３蒸気タービンに備えられる前記配管において発生する第２蒸気の圧力と比較して小さくなるように設定され、
前記支持体情報格納テーブルは、
前記タービンに備えられる前記配管に対する前記支持体情報を格納する第１支持体情報格納テーブルと、
前記第２蒸気タービンに備えられる前記配管に対する前記支持体情報を格納する第２支持体情報格納テーブルと、
前記第３蒸気タービンに備えられる前記配管に対する前記支持体情報を格納する第３支持体情報格納テーブルとを含み、
前記プラント情報に基づいて、前記第１支持体情報格納テーブル、前記第２支持体情報格納テーブル、及び前記第３支持体情報格納テーブルのいずれかを選定し、選定した前記支持体情報格納テーブルから前記配管情報に基づいて前記支持体情報を抽出する請求項８に記載の支持体数量算出方法。
【請求項１０】
前記支持体情報格納テーブルから前記配管情報に基づいて前記配管の単位重量を抽出するステップと、
前記配管の口径と、前記支持体の前記配管に対する設置間隔とを抽出するステップと、
前記支持体情報は、前記単位重量と前記口径を含み、
前記種類構成は、前記支持体の各々に対する構成割合を示し、
前記抽出した単位重量と、前記設定重量とに基づいて前記配管の配管長を算出するステップと、
前記算出した配管長と前記抽出した設置間隔とに基づいて前記支持体の本数を算出するステップと、
前記支持体の本数と前記構成割合とに基づいて前記数量を算出するステップとを更に具備する請求項８又は９に記載の支持体数量算出方法。
【請求項１１】
前記支持体の各々は、複数であり、第１支持体と第２支持体とを含み、前記数量は、前記第１支持体に対する第１数量と、前記第２支持体に対する第２数量とを含み、
前記支持体の本数と前記設定重量とに基づいて前記支持体の各々に対する支持荷重を算出するステップを更に具備し、
前記算出された支持荷重に基づいて前記第１数量と前記第２数量の各々を算出する
請求項８乃至１０のいずれか一項に記載の支持体数量算出方法。
【請求項１２】
前記設定重量は、前記配管に備えられる弁の重量を含む請求項８乃至１１のいずれか一項に記載の支持体数量算出方法。
【請求項１３】
前記算出した第１数量、前記算出した第２数量、及び前記第１支持体と前記第２支持体の各々に対する料金単価に基づいて、前記第１支持体と前記第２支持体の各々に対する料金を算出するステップ
を更に具備する
請求項１１又は１２に記載の支持体数量算出方法。
【発明の詳細な説明】
【０００１】
【発明の属する技術分野】
本発明は、支持体数量算出システムに関し、特にプラントの建設に必要な支持体の数量を算出するシステムに関する。
【０００２】
【従来の技術】
ＣＡＤによる配管サポート図作成方法に関する技術が、特開２０００−３４８０８５号に記載されている。
【０００３】
この従来技術によれば、ＣＡＤによる配管サポート図作成方法は、配管組立図に示された配管の任意の位置のサポート図を作成するに際して、まず、サポート部品使用区分表を作成する。サポート部品使用区分表には、配管の種類、拘束条件及びサイズに基づいたサポート部品シンボル名が登録されている。また、配管組立図の対象配管に記載された配管の種類、拘束条件及びサイズを記載した配管属性から上記サポート部品使用区分表を呼び出す。更に、そのサポート部品シンボル名よりサポート部品シンボルファイルを呼び出して、サポート部品をサポート図に貼り付けて作図する。
【０００４】
埋設ルートの設計補助方法、及び設計補助装置に関する技術が、特開２００２−７４９５号に記載されている。
【０００５】
この従来技術によれば、埋設ルートの設計補助方法においては、まず、次の情報の各々をコンピュータの記憶手段に記憶させておく。その情報には、既設埋設物の情報、予め決定された計画埋設管の起点情報、計画埋設ルートに沿って仮に決定された仮終点情報、設計計画上の条件に係る情報が含まれる。
【０００６】
この従来技術における埋設ルートの設計補助方法は、仮決定手順、確認手順、制御手順とを含んだ制御プログラムによって前記コンピュータを制御して、埋設ルートの設計を補助する。仮決定手順は、前記起点情報と前記仮終点情報とに基づいて仮計画建設ルートを決定する手順である。確認手順は、前記仮計画建設ルートと既設埋設物との最小離隔距離を算出し、設計計画上の条件に係る情報を満足するか否かを確認する手順である。
【０００７】
制御手順は、確認手順によって満足しないことが確認された場合に、前記仮終点情報を変更して、変更後の仮終点情報と前記起点情報とに基づいて、前記仮決定手順による処理を繰り返させる手順である。また、制御手順は、確認手順によって満足することが確認された場合に、前記仮終点情報を終点情報として出力し、前記仮計画建設ルートを計画建設ルートとして出力する手順である。
【０００８】
この従来技術によれば、埋設ルートの設計補助装置は、上記の記録手段、仮計画手順に対応する仮計画手段、確認手順に対応する確認手段、制御手順に対応する制御手段とを備えている。
【０００９】
配管自動積算方法及びそのシステムに関する技術が、特開平９−１７９８９１号に記載されている。
【００１０】
この従来技術によれば、配管自動積算方法では、配管とその付属物とを含む施設を構成する個々の物体について、三次元空間における位置及び形状を特定する三次元画像データにより構成された三次元画面から、配管とその付属物との積算が行われる。この配管自動積算方法は、次のステップを含んでいる。
【００１１】
配管自動積算方法は、（１）配管とその付属物とを含む施設を構成する個々の物体の三次元画像データを入力するステップ、（２）入力された三次元画像データに基づいて三次元画像を生成するステップを含んでいる。また、配管自動積算方法は、（３）前記個々の物体の属性を表す情報を入力するステップ、（４）入力された三次元画像データと属性データとを関連付けて記憶するステップを含んでいる。
【００１２】
更に、配管自動積算方法は、（５）記憶されている三次元画像データから個々の管に関して管長を計算すると共に属性データを抽出し、個々の付属物に関して属性データを抽出するステップ、（６）抽出された属性に基づいて各管とその付属物を分類し、分類結果に対応した管長を所定の表形式に配置すると共に、所定の計算式に従った表計算を行うステップを含んでいる。
【００１３】
また、この従来技術によれば、記録媒体は、上記のステップを含むコンピュータプログラムを記録したことを特徴とする。更に、この従来技術によれば、配管自動積算システムは、三次元画像データ入力部、三次元画像生成部、属性データ入力部、三次元画像データ記憶部、属性データ抽出部、表計算部とを備えたことを特徴としている。これらの構成要素は、各々、上記の（１）、（２）、（３）、（４）、（５）、（６）のステップに対応する処理を行う。
【００１４】
配管生産計画管理装置に関する技術が、特開平９−１７９８９１号に記載されている。
【００１５】
この従来技術によれば、配管生産計画管理装置は、製作アイソメトリック図データ決定手段、決定データ蓄積用データベース、生産計画及び生産管理手段、非破壊検査基準データベースを具備している。製作アイソメトリック図データ決定手段は、次のデータ等に基づいて、製作アイソメトリック図の作成に必要なデータを決定する手段である。そのデータ等には、機能アイソメトリック図のデータと、入力手段から入力された溶接継手の種類、プレファブ工事で作る溶接継手及び現場工事で作る溶接継手等の実際の配管製作に必要なデータ、溶接データベースに記憶された溶接代等の溶接に必要なデータが含まれる。
【００１６】
決定データ蓄積用データベースには、前記製作アイソメトリック図の作成に伴って決定した溶接継手の種類や、配管材料等の決定データを蓄積する。生産計画及び生産管理手段は、前記決定データ蓄積用データベースに蓄積されたデータに基づいて、生産計画及び生産管理を行う。非破壊検査基準データベースは、前記溶接継手の種類に応じて予め定めた検査に関する非破壊検査基準データを蓄積する。
【００１７】
前記製作アイソメトリック図データ決定手段は、全ての溶接継手に識別番号を付与しながら、前記製作アイソメトリック図の作成に必要なデータを決定するように構成される。前記決定データ蓄積用データベースには、前記識別番号に基づいて、前記データが蓄積されている。
【００１８】
また、前記製作アイソメトリック図データ決定手段は、前記非破壊検査基準データベースに記憶された前記非破壊検査基準データに基づいて、前記溶接継手の種類に応じて予め定められた非破壊検査毎に必要な非破壊検査箇所の数を決定する機能を有している。更に、前記製作アイソメトリック図データ決定手段は、少なくとも溶接継手の種類、各溶接継手の種類毎の数、前記必要な非破壊検査箇所の数を前記製作アイソメトリック図上に表記する機能を有している。
【００１９】
データベースへの安全ＳＱＬレベル・アクセスを供給するシステム及び方法に関する技術が、特開平９−１７９８７１号に記載されている。
【００２０】
この従来技術によれば、分散型コンピュータ・システムは、情報サーバと、クライアント・コンピュータとを備えている。情報サーバは、データベース管理システム（ＤＢＭＳ）と、及びＳＱＬステートメントを受け取り、かつ当該ＳＱＬステートメントに応答するポートとを含んでいる。クライアント・コンピュータは、前記情報サーバに通信経路によって結合され、かつ前記情報サーバの前記ＤＢＭＳにＳＱＬステートメントを送るデータベース・アクセス手段を含んでおり、少なくとも一つから構成される。
【００２１】
前記データベース・アクセス手段は、当該データベース・アクセス手段に組み込まれた複数の暗号化されたＳＱＬステートメントを含んでいる。該組み込まれた複数の暗号化されたＳＱＬステートメントは、前記情報サーバの前記ＤＢＭＳにより、合法ＳＱＬステートメントとして認識される所定のフル・セットのＳＱＬステートメントの所定のサブ・セットを表している。前記情報サーバの前記ＤＢＭＳに前記データベース・アクセス手段によって送られる前記ＳＱＬステートメントのそれぞれは、前記暗号化されたＳＱＬステートメントの対応するものを含む。
【００２２】
前記情報サーバは、前記一つのクライアント・コンピュータの前記データベース・アクセス手段によって送られる前記ＳＱＬステートメントのそれぞれに含まれる前記暗号化されたＳＱＬステートメントをデコーティングする手段を含んでいる。また、前記情報サーバは、合法ＳＱＬステートメントの暗号化された表現を含まない受け取ったＳＱＬステートメントを拒否する手段、前記受け取った合法ＳＱＬステートメントをデコーティングする手段を含んでいる。
【００２３】
次に、本発明の支持体数量算出システムに係る、従来のシステムについて説明する。発電プラントにおける、ガスタービンと蒸気タービンを含むコンバインドサイクル、もしくは蒸気タービンを含むコンベンショナルサイクルの設計、建設工事、及び運用に当たっては種々の配管、及び配管を支える支持体が必要である。
【００２４】
支持体は、配管を上方から支えるハンガー、及び下方から支えるサポートに区分され、各々、支えることの可能な支持荷重、及び支持形態によって更に細かく分類される。従って、各々の配管を支持する支持体の種類の適切な選択と、数量の正確な算出が必要である。そのため、従来は、最初に上記のサイクルにおける配管の配置計画を行った後に、各々の配管に対してどの支持体がどれだけ必要かを考慮するための支持体設計が行われている。
【００２５】
この支持体設計が終了した後、上記のサイクルの建設工事に必要な支持体の種類、及び数量が決定する。また、建設工事現場の各地点（ガスタービン、もしくは蒸気タービンの建設地点等）において必要とされる支持体の種類、及び数量も決定する。更に、これらの支持体の購入に必要な料金（購入料金）も算出することが可能となる。
【００２６】
しかしながら、逆に支持体設計が終了しない限り支持体の種類、数量、及び購入料金等が判明しないため、次のような問題点があった。その問題点は、（１）支持体設計の結果として決定された支持体の種類、及び数量を、実際の建設工事計画に反映することが出来ないこと、（２）必要な支持体の納期遅れ等によって現場の建設工事に支障を来たすことがあることが挙げられる。また、（３）支持体を購入する側において、建設工事に対する予算管理を適切に行うことは困難であることが挙げられる。
【００２７】
【発明が解決しようとする課題】
本発明の目的は、支持体設計の結果として決定された支持体の種類、及び数量を、実際の建設工事計画に反映することが出来るシステムを提供することにある。
【００２８】
本発明の他の目的は、必要な支持体の納期遅れ等によって現場の建設工事に支障を来たすことがないシステムを提供することにある。
【００２９】
本発明の更に他の目的は、支持体を購入する側において、建設工事に対する予算管理を適切に行うことが出来るシステムを提供することにある。
【００３０】
【課題を解決するための手段】
以下に、［発明の実施の形態］で使用される番号・符号を括弧付で用いて、課題を解決するための手段を説明する。これらの符号は、［特許請求の範囲］の記載と［発明の実施の形態］の記載との対応を明らかにするために付加されたものであるが、［特許請求の範囲］に記載されている発明の技術的範囲の解釈に用いてはならない。
【００３１】
本発明の支持体数量算出システム（１０）は、配管（１９）を支持するための複数の支持体（２１）と、前記支持体（２１）に対して設定された種類構成（１Ｔｅ）とを示す支持体情報（２０）を格納する支持体情報格納テーブル（１２３Ｔ）と、前記配管（１９）の種類を示す配管情報（３１）に基づいて前記支持体情報格納テーブル（１２３Ｔ）から前記支持体情報（２０）を抽出し、抽出した前記支持体情報（２０）と、前記配管（１９）に対する設定重量（３３）とに基づいて、前記配管（１９）を支持する前記支持体（２１）の各々の数量（２３）を算出する情報処理装置（１１）とを具備する。
【００３２】
本発明の支持体数量算出システム（１０）は、複数の前記配管（１９）の各々は、互いに異なる複数のプラント（２５）のいずれかに備えられる。前記支持体情報格納テーブル（１２３Ｔ）は、複数であり、前記複数の支持体情報格納テーブル（１２３Ｔ）の各々は、前記いずれかのプラント（２５）に備えられる前記配管（１９）に対する前記支持体情報（２０）を格納する。前記情報処理装置（１１）は、前記いずれかのプラント（２５）を示すプラント情報（３２）に基づいて前記複数の支持体情報格納テーブル（１２３Ｔ）のいずれかを選定し、選定した前記支持体情報格納テーブル（１２３Ｔ）から前記配管情報（３１）に基づいて前記支持体情報（２０）を抽出する。
【００３３】
尚、前記いずれかのプラント（２５）は、第１プラント２５ａ、第２プラント２５ｂ、第３プラント２５ｃのうち、いずれかである。また、前記複数の支持体情報格納テーブル（１２３Ｔ）のいずれかとは、第１支持体情報格納テーブル（１Ｔ）、第２支持体情報格納テーブル（２Ｔ）、第３支持体情報格納テーブル（３Ｔ）のうち、いずれかである。
【００３４】
本発明の支持体数量算出システム（１０）において、前記いずれかのプラント（２５）は、ガスタービン（ＧＴＰ）と第１蒸気タービン（ＳＴＰ１）を含むタービン（ＴＰ）、第２蒸気タービン（ＳＴＰ２）、及び第３蒸気タービン（ＳＴＰ３）のいずれかを含んでいる。前記第２蒸気タービン（ＳＴＰ２）に備えられる前記配管（１９）において発生する第１蒸気（２６）の圧力は、前記第３蒸気タービン（ＳＴＰ３）に備えられる前記配管（１９）において発生する第２蒸気（２７）の圧力と比較して小さくなるように設定される。
【００３５】
前記複数の支持体情報格納テーブル（１２３Ｔ）は、前記タービン（ＴＰ）に備えられる前記配管（１９）に対する前記支持体情報（２０）を格納する第１支持体情報格納テーブル（１Ｔ）と、前記第２蒸気タービン（ＳＴＰ２）に備えられる前記配管（１９）に対する前記支持体情報（２０）を格納する第２支持体情報格納テーブル（２Ｔ）と、前記第３蒸気タービン（ＳＴＰ３）に備えられる前記配管（１９）に対する前記支持体情報（２０）を格納する第３支持体情報格納テーブル（３Ｔ）とを含んでいる。
【００３６】
前記情報処理装置（１１）は、前記プラント情報（３２）に基づいて、前記第１支持体情報格納テーブル（１Ｔ）、前記第２支持体情報格納テーブル（２Ｔ）、及び前記第３支持体情報格納テーブル（３Ｔ）のいずれかを選定する。
【００３７】
本発明の支持体数量算出システム（１０）は、前記配管（１９）の口径（１Ｔｄ）と、前記支持体（２１）の前記配管（１９）に対する設置間隔（２８）とを格納する設置間隔表示テーブル（４Ｔ）を更に具備している。前記支持体情報（２０）は、前記配管（１９）の単位重量（１Ｔｃ）と前記口径（１Ｔｄ）を含んでいる。前記種類構成（１Ｔｅ）は、前記支持体（２１）の各々に対する構成割合を示している。
【００３８】
前記情報処理装置（１１）は、前記配管情報（３１）に基づいて前記支持体情報格納テーブル（１２３Ｔ）から前記単位重量（１Ｔｃ）を抽出し、前記口径（１Ｔｄ）に基づいて前記設置間隔表示テーブル（４Ｔ）から前記設置間隔（２８）を抽出する。また、前記情報処理装置（１１）は、前記抽出した単位重量（１Ｔｃ）と、前記設定重量（３３）とに基づいて前記配管（１９）の配管長（３４）を算出し、前記算出した配管長（３４）と前記抽出した設置間隔（２８）とに基づいて前記支持体（２１）の本数（３５）を算出し、前記支持体（２１）の本数（３５）と前記構成割合とに基づいて前記数量（２３）を算出する。
【００３９】
本発明の支持体数量算出システム（１０）において、前記支持体（２１）の各々は、複数であり、第１支持体（ＨＴ１ａ、ＨＴ２ａ）と第２支持体（ＨＴ１ｂ、ＨＴ２ｂ）とを含んでいる。前記数量（２３）は、前記第１支持体（ＨＴ１ａ、ＨＴ２ａ）に対する第１数量（２３ａ、２３ｃ）と、前記第２支持体（ＨＴ１ｂ、ＨＴ２ｂ）に対する第２数量（２３ｂ、２３ｄ）とを含んでいる。
【００４０】
前記情報処理装置（１１）は、前記支持体（２１）の本数（３５）と前記設定重量（３３）とに基づいて前記支持体（２１）の各々に対する支持荷重（４１）を算出し、前記算出された支持荷重（４１）に基づいて前記第１数量（２３ａ、２３ｃ）と前記第２数量（２３ｂ、２３ｄ）の各々を算出する。尚、前記設定重量（３３）は、前記配管（１９）に備えられる弁の重量（３８）を含んでいる。
【００４１】
本発明の支持体数量算出システム（１０）は、前記第１支持体（ＨＴ１ａ、ＨＴ２ａ）と前記第２支持体（ＨＴ１ｂ、ＨＴ２ｂ）の各々に対する料金単価（３０）を示す支持体料金表示テーブル（５Ｔ）を更に具備している。
【００４２】
前記情報処理装置（１１）は、前記算出した第１数量（２３ａ、２３ｃ）、前記算出した第２数量（２３ｂ、２３ｄ）、前記支持体料金表示テーブルが示す前記料金単価（３０）に基づいて、前記第１支持体（ＨＴ１ａ、ＨＴ２ａ）と前記第２支持体（ＨＴ１ｂ、ＨＴ２ｂ）に対する料金（４２）を算出する。
【００４３】
本発明の支持体数量算出方法（１０ａ）は、配管（１９）を支持するための複数の支持体（２１）と、前記支持体（２１）に対して設定された種類構成（１Ｔｅ）とを示す支持体情報（２０）を格納する支持体情報格納テーブル（１２３Ｔ）から、前記配管（１９）の種類を示す配管情報（３１）に基づいて前記支持体情報（２０）を抽出するステップ（Ｓ１ｆ）を具備する。また、本発明の支持体数量算出方法（１０ａ）は、抽出した前記支持体情報（２０）と、前記配管（１９）に対する設定重量（３３）とに基づいて、前記配管（１９）を支持する前記支持体（２１）の各々の数量（２３）を算出するステップ（Ｓ２ｅ）を具備する。
【００４４】
本発明の支持体数量算出方法（１０ａ）は、前記配管（１９）は、複数であり、複数の前記配管（１９）の各々は、互いに異なる複数のプラント（２５）のいずれかに備えられる。前記いずれかのプラント（２５ａ、２５ｂ、２５ｃ）は、ガスタービン（ＧＴＰ）と第１蒸気タービン（ＳＴＰ１）を含むタービン（ＴＰ）、第２蒸気タービン（ＧＴＰ２）、及び第３蒸気タービン（ＧＴＰ３）のいずれかを含んでいる。前記第２蒸気タービン（ＧＴＰ２）に備えられる前記配管（１９）において発生する第１蒸気（２６）の圧力は、前記第３蒸気タービン（ＧＴＰ３）に備えられる前記配管（１９）において発生する第２蒸気（２７）の圧力と比較して小さくなるように設定される。
【００４５】
前記支持体情報格納テーブル（１２３Ｔ）は、前記タービン（ＴＰ）に備えられる前記配管（１９）に対する前記支持体情報（２０）を格納する第１支持体情報格納テーブル（１Ｔ）と、前記第２蒸気タービン（ＧＴＰ２）に備えられる前記配管（１９）に対する前記支持体情報（２０）を格納する第２支持体情報格納テーブル（２Ｔ）と、前記第３蒸気タービン（ＧＴＰ３）に備えられる前記配管（１９）に対する前記支持体情報（２０）を格納する第３支持体情報格納テーブル（３Ｔ）とを含んでいる。
【００４６】
本発明の支持体数量算出方法（１０ａ）においては、前記いずれかのプラント（２５ａ、２５ｂ、２５ｃ）を示すプラント情報（３２）に基づいて、前記第１支持体情報格納テーブル（１Ｔ）、前記第２支持体情報格納テーブル（２Ｔ）、及び前記第３支持体情報格納テーブル（３Ｔ）のいずれかを選定し、選定した前記支持体情報格納テーブル（１Ｔ、２Ｔ、３Ｔ）から前記配管情報（３１）に基づいて前記支持体情報（２０）を抽出する。
【００４７】
本発明の支持体数量算出方法（１０ａ）は、前記支持体情報格納テーブル（１２３Ｔ）から前記配管情報（３１）に基づいて前記配管（１９）の単位重量（１Ｔｃ）を抽出し、また、前記配管の口径（１Ｔｄ）と、前記支持体（２１）の前記配管（１９）に対する設置間隔（２８）とを抽出するステップ（Ｓ１ｆ）を具備している。
【００４８】
前記支持体情報（２０）は、前記単位重量（１Ｔｃ）と前記口径（１Ｔｄ）を含み、前記種類構成（１Ｔｄｅ）は、前記支持体（２１）の各々（ＨＴ１、ＨＴ２）に対する構成割合を示している。
【００４９】
本発明の支持体数量算出方法（１０ａ）は、前記抽出した単位重量（１Ｔｃ）と、前記設定重量（３３）とに基づいて前記配管（１９）の配管長（３４）を算出するステップ（Ｓ２ｂ）と、前記算出した配管長（３４）と前記抽出した設置間隔（２８）とに基づいて前記支持体（２１）の本数（３５）を算出するステップ（Ｓ２ｃ）と、前記支持体（２１）の本数（３５）と前記構成割合とに基づいて前記数量（２３）を算出するステップ（Ｓ２ｅ）とを更に具備する。
【００５０】
本発明の支持体数量算出方法（１０ａ）において、前記各々の支持体（ＨＴ１、ＨＴ２）は、複数であり、第１支持体（ＨＴ１ａ、ＨＴ２ａ）と第２支持体（ＨＴ１ｂ、ＨＴ２ｂ）とを含んでいる。前記数量（２３）は、前記第１支持体（ＨＴ１ａ、ＨＴ２ａ）に対する第１数量（２３ａ、２３ｃ）と、前記第２支持体に対する第２数量（２３ｂ、２３ｄ）とを含んでいる。
【００５１】
本発明の支持体数量算出方法（１０ａ）は、前記支持体（２１）の本数（３５）と前記設定重量（３３）とに基づいて前記支持体（２１）の各々に対する支持荷重（４１）を算出するステップ（Ｓ２ｆ）を更に具備しており、前記算出された支持荷重（４１）に基づいて前記第１数量（２３ａ、２３ｃ）と前記第２数量（２３ｂ、２３ｄ）の各々を算出する。尚、前記設定重量（３３）は、前記配管（１９）に備えられる弁の重量（３８）を含んでいる。
【００５２】
本発明の支持体数量算出方法（１０ａ）は、前記算出した第１数量（２３ａ、２３ｃ）、前記算出した第２数量（２３ｂ、２３ｄ）、及び前記第１支持体（ＨＴ１ａ、ＨＴ２ａ）と前記第２支持体（ＨＴ１ｂ、ＨＴ２ｂ）の各々に対する料金単価（３０）に基づいて、前記第１支持体（ＨＴ１ａ、ＨＴ２ａ）と前記第２支持体（ＨＴ１ｂ、ＨＴ２ｂ）の各々に対する料金（４２）を算出するステップ（Ｓ１ｈ）を具備する。
【００５３】
【発明の実施の形態】
添付図面を参照して、本発明の支持体数量算出システム１０に係る実施の形態１について説明する。
【００５４】
（実施の形態１）
図１に、本発明の支持体数量算出システム１０に係る実施の形態１の構成を示す。本発明の支持体数量算出システム１０は、情報処理装置１１、表示装置１２、印刷装置１３、入力装置１４を有している。情報処理装置１１は、記憶部１１ａ、抽出部１１ｂ、算出部１１ｃを有している。
【００５５】
記憶部１１ａは、図２に示す第１支持体情報格納テーブル１Ｔ、図３に示す第２支持体情報格納テーブル２Ｔ、図４に示す第３支持体情報格納テーブル３Ｔを含む３種類の支持体情報格納テーブル１２３Ｔ（１Ｔ、２Ｔ、３Ｔ）を有している。
【００５６】
第１支持体情報格納テーブル１Ｔは、第１蒸気タービンＳＴＰとガスタービンＧＴＰを含むタービンＴＰに備えられる、複数の配管１９に対する支持体情報２０を格納している。支持体情報２０は、オーダ番号１Ｔａ、系統名１Ｔｂ、配管単位重量１Ｔｃ、代表口径１Ｔｄ、支持体構成１Ｔｅ、支持体比率１Ｔｆ、水・保温材の有無１Ｔｊを示している。
【００５７】
配管単位重量１Ｔｃ、代表口径１Ｔｄ、支持体構成１Ｔｅ、支持体比率１Ｔｆの各々は、これまでの実績を集計した結果に基づいて、配管１９毎に算出されたものである。従って、個々の配管１９に対しては、必ずしも正確な値を与えるものではない。しかしながら、その算出の結果をまとめた支持体情報格納テーブル１２３Ｔを生成することによって、後述するように、ほぼ正確に数量を算出することが可能となる。尚、支持体情報格納テーブル１２３Ｔにおいて示される数値は一例であり、実際には、これらとは異なる数値が設定される。
【００５８】
オーダ番号１Ｔａは、第１蒸気タービンＳＴＰ、ガスタービンＧＴＰの各々を示している。また、オーダ番号１Ｔａは、系統名１Ｔｂの各々に対応する識別番号（Ｓ４０〜Ｓ５１、Ｇ２０〜Ｇ２６）を示している。系統名１Ｔｂは、第１蒸気タービンＳＴＰ、もしくはガスタービンＧＴＰに備えられる配管１９を示している。
【００５９】
図２において、第１蒸気タービンＳＴＰ１には、主蒸気管Ｓ４０、高温再熱蒸気管Ｓ４１、低温再熱蒸気管Ｓ４２、抽気管系Ｓ４３、排気管系Ｓ４４、給水管系Ｓ４５、復水管系Ｓ４６の各々の配管１９が含まれることが示されている。また、第１蒸気タービンＳＴＰ１には、軸冷水管系Ｓ４７、ヒータドレン管系Ｓ４８、雑管Ｓ４９、ダンプ＆起動系Ｓ５０、海水管系Ｓ５１の各々の配管１９が含まれることが示されている。
【００６０】
ガスタービンＧＴＰには、灯油及び軽油燃料供給装置Ｇ２０、ガス燃料供給装置Ｇ２１、抽気及び冷却空気系Ｇ２２、潤滑油系Ｇ２３、水噴射装置Ｇ２４、冷却水系Ｇ２５、蒸気系Ｇ２６の各々の配管１９が含まれることが示されている。
【００６１】
尚、図２に示す系統名１Ｔｂには、配管１９の系統１９ａ（排気管系Ｓ４４等、符号を除いた末尾に「系」の文字が付記されるもの）を示すもの、及び装置１９ｂを示すもの（ガス燃料供給装置Ｇ２１、水噴射装置Ｇ２４）が含まれている。但し、「系統１９ａ」とは配管１９の用途による分類を示すものであり、同一の用途に対しては同一種類の配管１９が用いられる。また、各々の「装置１９ｂ」において用いられる配管１９も同一種類である。従って、本発明の実施の形態に係る説明においては、特に区別する必要のない限り、配管１９、系統１９ａ、及び装置１９ｂのいずれも「配管１９」と統一して記すこととする。
【００６２】
配管単位重量１Ｔｃは、系統名１Ｔｂに対応する配管１９の単位重量を示すものである。代表口径１Ｔｄは、系統名１Ｔｂに対応する配管１９の口径を示すものである。支持体構成１Ｔｅは、系統名１Ｔｂに対応する配管１９が、どの種類の支持体２１（ＨＴ１、ＨＴ２）によって支持されるかを示したものである。図２においては、支持体ＨＴ１と支持体ＨＴ２の２種類が挙げられており、これらの支持体２１の少なくともいずれか一方により、配管１９は支持される。
【００６３】
支持体２１には、配管１９を上方から支持するハンガー１９ａ、及び下方から支持するサポート１９ｂの２種類がある。上述した支持体ＨＴ１と支持体ＨＴ２は、これらのいずれかに区分される。また、図２においては２種類の支持体２１が挙げられているが、この数には限らない。
【００６４】
また、支持体構成１Ｔｆは、支持体ＨＴ１と支持体ＨＴ２に対して設定された種類構成（構成割合）を示している。例えば、主蒸気管Ｓ４０の支持に当たっては、支持体ＨＴ１、支持体ＨＴ２がタイプ別数量２３の割合として各々Ｅ１％、Ｅ２％だけ用いられることが示されている。支持体比率１Ｔｆは、配管１９及び弁２４（配管１９に備えられる）を含む重量に対する、支持体２１の重量の比率に対して設定された値を示している。
【００６５】
水・保温材の有無１Ｔｊは、対応する配管１９に流体か水、もしくは熱が逃げないようにするために、配管１９の周囲に保温材を巻きつける必要があるかどうかを示すものである。
【００６６】
水・保温材の有無１Ｔｊにおいては、各々の配管１９に対して、１Ｔｊａ〜１Ｔｊｓと示されている（図３、図４においては、１Ｔｊｃ〜１Ｔｊｌと示されている）。１Ｔｊａ〜１Ｔｊｓ（又は、１Ｔｊｃ〜１Ｔｊｌ）の各々は、それぞれ対応する配管１９において（１）流体が水で、かつ保温材が必要であること、（２）流体は水で、保温材は不要であることを示している。また、（３）流体は水でないが、保温材は必要であること、（４）流体は水でなく、保温材も不要であることのいずれかを示している。
【００６７】
図３に示す第２支持体情報格納テーブル２Ｔは、第２蒸気タービンＳＴＰ２に備えられる、複数の配管１９に対する支持体情報２０を格納している。図４に示す第３支持体情報格納テーブル３Ｔは、第３蒸気タービンＳＴＰ３に備えられる、複数の配管１９に対する支持体情報２０を格納している。
【００６８】
これらの支持体情報２０には、オーダ番号１Ｔａ、系統名１Ｔｂ、配管単位重量１Ｔｃ、代表口径１Ｔｄ、支持体構成１Ｔｅ、支持体比率１Ｔｆ、水・保温材の有無１Ｔｊの各々を示す情報が含まれる。これらの情報は、第１支持体情報格納テーブル１Ｔに格納される支持体情報２０と同様であるので、その説明は省略する。
【００６９】
尚、配管１９の各々は、互いに異なる複数のプラント２５のいずれかに備えられる。プラント２５は、タービンＴＰを含む第１プラント２５ａ、第２蒸気タービン２ＳＴＰを含む第２プラント２５ｂ、第３蒸気タービン３ＳＴＰを含む第３プラント２５ｃを含んでいる。
【００７０】
また、第２蒸気タービン２ＳＴＰに備えられる配管１９において発生する第１蒸気２６の圧力、第３蒸気タービン３ＳＴＰに備えられる配管１９において発生する第２蒸気２７の圧力は、それぞれ亜臨界圧、超臨界圧となるように設定される。すなわち、第１蒸気２６の圧力は、第２蒸気２７の圧力と比較して小さくなるように設定される。
【００７１】
記憶部１１ａは、図５に示す支持スパン表示テーブル４Ｔを有している。支持スパン表示テーブル４Ｔは、代表口径１Ｔｄ、支持スパン２８の各々を示す情報を格納している。支持スパン２８は、支持体２１の配管１９に対する設置間隔を示しており、代表口径１Ｔｄに対応して定められている。
【００７２】
記憶部１１ａは、図６に示す支持体料金表示テーブル５Ｔを有している。支持体料金表示テーブル５Ｔは、支持体タイプ１Ｔｅ、型番２９、及び料金単価３０の各々を示す情報を格納している。
【００７３】
型番２９は、支持体ＨＴ１と支持体ＨＴ２の各々を、配管１９を支持することが可能な支持荷重３１によって分類したものである。例えば、支持体ＨＴ１は第１支持体ＨＴ１ａと第２支持体ＨＴ１ｂの２種類の型番２９に分類されており、第１支持体ＨＴ１ａの支持荷重３１ａ、第２支持体ＨＴ１ｂの支持荷重３１ｂはそれぞれＡｋｇ、Ｂｋｇのように設定される（Ａ＞Ｂ）。料金単価３０は、第１支持体ＨＴ１ａと第２支持体ＨＴ１ｂの各々に対する、１個当たりの料金を示している。
【００７４】
尚、支持体２１の型番３９への分類は、支持荷重３１（３１ａ、３１ｂ）に基づくものとは限らず、他の形態に基づくものであっても構わない。また、本発明の実施の形態に係る説明は、支持体ＨＴ１を基に行うが、支持体ＨＴ２を基に説明した場合でも同様である。
【００７５】
その場合には、「支持体ＨＴ１」は「支持体ＨＴ２」、「第１支持体ＨＴ１ａ」は「第３支持体ＨＴ２ａ」、「第２支持体ＨＴ１ｂ」は「第４支持体ＨＴ２ｂ」にそれぞれ読み替えられる。また、「第１タイプ別数量２２ａ」は「第３タイプ別数量２２ｃ」、「第２タイプ別数量２２ｂ」は「第４タイプ別数量２２ｄ」にそれぞれ読み替えられる。更に、「支持荷重３１ａ」は「支持荷重３１ｃ」に、「支持荷重３１ｂ」は「支持荷重３１ｄ」にそれぞれ読み替えられる。
【００７６】
抽出部１１ｂ（図２に示す）は、入力装置１４から出力された、配管１９の種類を示す配管情報３１と、いずれかのプラント２５を指定するプラント情報３２を入力する。配管１９の種類とは、系統名１Ｔｂのいずれかを示すものである。また、いずれかのプラント２５とは、第１プラント２５ａ、第２プラント２５ｂ、及び第３プラント２５ｃのうち、いずれかである。
【００７７】
抽出部１１ｂは、入力したプラント情報３２に基づいて、支持体情報格納テーブル１２３Ｔのいずれかを選定する。また、抽出部１１ｂは、選定した支持体情報格納テーブル１２３Ｔから、配管情報３１に基づいて支持体情報２０を抽出し、抽出した支持体情報２０を算出部１１ｃに出力する。更に、抽出部１１ｂは、抽出した代表口径１Ｔｄ（支持体情報２０の一種）に基づいて、支持スパン表示テーブル４Ｔを検索し、対応する支持スパン２８を抽出し、抽出した支持スパン２８を算出部１１ｃに出力する。
【００７８】
算出部１１ｃは、抽出部１１ｂから入力した支持体情報２０、支持スパン２８、入力装置１４から入力した、配管１９（弁２４を含む）に対する設定重量３３とに基づいて、各々の支持体２１に対して必要なタイプ別数量２３を算出する。このタイプ別数量２３を算出するために用いられる支持体情報２０は、配管単位重量１Ｔｃ、代表口径１Ｔｄ、支持体構成１Ｔｅである。
【００７９】
算出部１１ｃは、設定重量３３と配管単位重量１Ｔｃとに基づいて配管長３４を算出する。その算出式は、（Ａ）式のように表される。
（配管長３４）＝（設定重量３３）／（配管単位重量１Ｔｃ）　（Ａ）
【００８０】
算出部１１ｃは、配管長３４と支持スパン２８とに基づいて支持点数３５を算出する。その算出式は、（Ｂ）式のように表される。尚、支持点数３５とは、配管１９を支持するのに必要な支持体２１の合計の本数（支持体ＨＴ１と支持体ＨＴ２の合計）に対応する。
（支持点数３５）＝（配管長３４）／（支持スパン２８）　（Ｂ）
【００８１】
算出部１１ｃは、支持点数３５、支持体構成１Ｔｅに基づいて、タイプ別数量２３を算出する。その算出式は、（Ｃ）式のように表される。
（タイプ別数量２３）＝（支持点数３５）／（支持体構成１Ｔｅ）　（Ｃ）
【００８２】
算出部１１ｃは、配管長３４、配管単位重量１Ｔｃ、水重量３６、保温材重量３７、弁重量３８に基づいて、配管１９を支持体２１が支持する際の支持荷重３９を算出する。その算出式は、（Ｄ）式のように表される。
（支持荷重３９）＝｛（配管単位重量１Ｔｃ）＋（水重量３６）＋（保温材重量３７）｝×（配管長３４）＋（弁重量３８）　（Ｄ）
【００８３】
算出部１１ｃは、支持荷重３９、支持点数３５、熱反力比率４０に基づいて、１点当たりの支持荷重４１を算出する。その算出式は、（Ｅ）式のように表される。算出部１１ｃは、（Ｅ）式によって算出された１点当たりの支持荷重４１、上述した支持荷重３１ａ、支持荷重３１ｂに基づき、支持体ＨＴ１ａに対する第１タイプ別数量２２ａ、及び支持体ＨＴ１ｂに対する第２タイプ別数量２２ｂを算出する。
（１点当たりの支持荷重４１）＝｛（支持荷重３９）／（支持点数３５）｝×（熱反力比率４０）　（Ｅ）
【００８４】
尚、設定重量３３は、プラント２５において必要な配管１９の重量を予め見積もることにより決定される。また、支持体比率１Ｔｆは、（Ａ）、（Ｂ）、（Ｃ）、（Ｄ）、（Ｅ）の各式において直接用いられてはいない。この支持体比率１Ｔｆは、プラント２５の建設において支持体２１の配管１９に対する溶接作業を行う際に、その溶接部品を含めた支持体２１の重量の比率がどの値に設定されているかを参照するために用いられる。
【００８５】
算出部１１ｃは、第１タイプ別数量２２ａ、第２タイプ別数量２２ｂ、及び料金単価３０に基づいて、第１支持体ＨＴ１ａと第２支持体ＨＴ１ｂの各々に対する料金を算出する。また、算出部１１ｃは、その料金に基づいて第１支持体ＨＴ１ａと第２支持体ＨＴ１ｂとを合算したコスト４２を算出する。算出部１１ｃは、算出したコスト４２、第１タイプ別数量２２ａと第２タイプ別数量２２ｂとを含む詳細数量４３を表示装置１２に出力する。
【００８６】
表示装置１２は、算出部１１ｃから入力した詳細数量４３、コスト４２を表示する。図７、図８、及び図９にその表示画面１２３ＴＴ（１ＴＴ、２ＴＴ、３ＴＴ）を示す。図７は、プラント情報３２において第１プラント２５ａが選定された場合に表示される第１表示画面１ＴＴであり、図８は、プラント情報３２において第２プラント２５ｂが選定された場合に表示される第２表示画面２ＴＴである。また、図９は、プラント情報３２おいて第３プラント２５ｃが選定された場合に表示される第３表示画面３ＴＴである。
【００８７】
詳細数量４３（Ｂ１〜Ｂ１９、Ｅ１〜Ｅ１２、Ｈ１〜Ｈ１２）については、例えば（ＨＴ１ａ＝１０、ＨＴ１ｂ＝１５、ＨＴ２ａ＝２０、ＨＴ２ｂ＝２５）のように、各々の支持体２１の型番２９毎の数量が示される。コスト４２（Ｃ１〜Ｃ１９、Ｆ１〜Ｆ１２、Ｉ１〜Ｉ１２）の単位は円であり、例えば１００，０００円のような具体的な数字で示される。
【００８８】
もしくは、表示装置１２は、図１０に示す第４表示画面４ＴＴを表示する。第４表示画面４ＴＴには、表示画面１２３ＴＴのいずれかと、各配管１９に対するコスト４２の和である総コスト４４の各々を示す情報が表示される。図１０の例では、第２表示画面２ＴＴが含まれているが、第１表示画面１ＴＴもしくは第３表示画面３ＴＴが含まれている場合でも同様である。
【００８９】
印刷装置１３は、表示装置１２が表示する表示画面１２３ＴＴ、もしくは第４表示画面４ＴＴを、入力装置１４から算出部１１ｃを介して出力された印字出力命令４４に応じて印字出力する。入力装置１４は、情報処理装置１１のユーザの操作に基づいて、抽出部１１ｂに配管情報３１、プラント情報３２を出力し、算出部１１ｃに設定重量３３を出力する。
【００９０】
次に、図１１に基づいて、本発明の支持体数量算出システム１０を用いた支持体数量算出方法１０ａにおける処理について説明する。図１１は、本発明の支持体数量算出方法１０ａにおける全体の処理の流れを示した図である。
【００９１】
情報処理装置１１のユーザ（以下、単に「ユーザ」と記す）は、入力装置１４を用いてプラント情報３２を入力する。入力されたプラント情報３２は、抽出部１１ｂに出力される（ステップＳ１ａ）。抽出部１１ｂは、そのプラント情報３２に基づいて、支持体情報格納テーブル１２３Ｔのうち、いずれかを選定する（ステップＳ１ｂ、ステップＳ１ｃ、ステップＳ１ｄ）。
【００９２】
ユーザ（以下、単に「ユーザ」と記す）は、入力装置１４を用いて設定重量３３（弁重量３８を含む）を入力する。入力された設定重量３３は、算出部１１ｃに出力される（ステップＳ１ｅ）。
【００９３】
抽出部１１ｂは、選定した支持体情報格納テーブル１２３Ｔから、配管情報３１に基づいて支持体情報２０を抽出し、抽出した支持体情報２０を算出部１１ｃに出力する。抽出部１１ｂは、抽出した代表口径１Ｔｄ（支持体情報２０の一種）に基づいて、支持スパン表示テーブル４Ｔを検索し、対応する支持スパン２８を抽出し、抽出した支持スパン２８を算出部１１ｃに出力する（ステップＳ１ｆ）。算出部１１ｃは、データ（タイプ別数量２３、１点当たりの支持荷重４１）の算出を行う（ステップＳ１ｇ）。
【００９４】
算出部１１ｃは、第１タイプ別数量２２ａ、第２タイプ別数量２２ｂ、及び料金単価３０に基づいて、第１支持体ＨＴ１ａと第２支持体ＨＴ１ｂの各々に対する料金を算出する。また、算出部１１ｃは、その料金に基づいて第１支持体ＨＴ１ａと第２支持体ＨＴ１ｂとを合算したコスト４２を算出する（ステップＳ１ｈ）。算出部１１ｃは、算出したコスト４２、第１タイプ別数量２２ａと第２タイプ別数量２２ｂとを含む詳細数量４３を表示装置１２に出力する。表示装置１２は、算出部１１ｃから入力した詳細数量４３、コスト４２を表示する（ステップＳ１ｉ）。
【００９５】
次に、図１２に基づいて、本発明の支持体数量算出システム１０を用いた支持体数量算出方法１０ａにおける処理について説明する。図１２は、図１１におけるステップ１ｇの処理を詳細に示した図である。
【００９６】
算出部１１ｃは、水重量３６と保温材重量３７を算出する（ステップＳ２ａ）。算出部１１ｃは、設定重量３３と配管単位重量１Ｔｃとに基づいて配管長３４を算出する（ステップＳ２ｂ）。算出部１１ｃは、配管長３４と支持スパン２８とに基づいて支持点数３５を算出する（ステップＳ２ｃ）。
【００９７】
算出部１１ｃは、配管長３４、配管単位重量１Ｔｃ、水重量３６、保温材重量３７、弁重量３８に基づいて、配管１９を支持体２１が支持する際の支持荷重３９を算出する（ステップＳ２ｄ）。算出部１１ｃは、支持点数３５、支持体構成１Ｔｅに基づいて、タイプ別数量２３を算出する（ステップＳ２ｅ）。算出部１１ｃは、支持荷重３９、支持点数３５、熱反力比率４０に基づいて、１点当たりの支持荷重４１を算出する。算出部１１ｃは、算出された１点当たりの支持荷重４１、支持荷重３１ａ、支持荷重３１ｂに基づき、第１タイプ別数量２２ａと第２タイプ別数量２２ｂを算出する（ステップＳ２ｆ）。
【００９８】
尚、ステップＳ２ａは、抽出部１１ｂが支持体情報格納テーブル１２３Ｔを検索した結果、配管１９に水が流通せず、かつ保温材も不要であることが判明した場合には、行われない。
【００９９】
また、図１２におけるステップは、タイプ別数量２３を算出するためのステップ（以下、「第１ステップ」と記す）と、１点当たりの支持荷重４１を算出するためのステップ（以下、「第２ステップ」と記す）の双方が含まれている。従って、必ずしも図１２に示す順で行われる必要はない。第１ステップには、ステップＳ２ｂ、ステップＳ２ｃ、及びステップＳ２ｅが含まれる。第２ステップには、ステップＳ２ａ、ステップＳ２ｂ、ステップＳ２ｃ、ステップＳ２ｄ、ステップＳ２ｆが含まれる。
【０１００】
（実施の形態２）
図１３に、本発明の支持体数量算出システム１０に係る実施の形態２の構成を示す。実施の形態２において、支持体数量算出システム１０は、第１情報処理装置４４、表示装置４５、印刷装置４６、入力装置４７、通信ケーブル４８、第２情報処理装置４９、表示装置５０、印刷装置５１、入力装置５２を有している。第１情報処理装置４４は、記憶部４４ａと抽出部４４ｂを有しており、第２情報処理装置４９は、算出部４９ａを有している。また、抽出部４４ｂと算出部４９ａとは、通信ケーブル４８で接続されている。
【０１０１】
実施の形態２においては、抽出部４４ｂから算出部４９ａへのデータの出力は、通信ケーブル４８を介して行われる点で、実施の形態１とは異なる。それ以外の点については、各構成要素は、実施の形態１における対応要素（名称が同一で、符号が異なるもの）と同様の処理を行うので、その説明は省略する。
【０１０２】
【発明の効果】
本発明の支持体数量算出システムにより、支持体設計の結果として決定された支持体の種類、及び数量を、実際の建設工事に反映することが出来る。
【０１０３】
本発明の支持体数量算出システムにより、必要な支持体の納期遅れ等によって現場の建設工事に支障を来たすことがないようにすることが出来る。
【０１０４】
本発明の支持体数量算出システムにより、支持体を購入する側において、建設工事に対する予算管理を適切に行うことが出来る。
【図面の簡単な説明】
【図１】本発明の支持体数量算出システムの実施の形態１に係る構成を示す図である。
【図２】本発明の支持体数量算出システムの実施の形態１、２に係る、第１支持体情報格納テーブルに格納される情報を示す図である。
【図３】本発明の支持体数量算出システムの実施の形態１、２に係る、第２支持体情報格納テーブルに格納される情報を示す図である。
【図４】本発明の支持体数量算出システムの実施の形態１、２に係る、第３支持体情報格納テーブルに格納される情報を示す図である。
【図５】本発明の支持体数量算出システムの実施の形態１、２に係る、支持スパン表示テーブルに格納される情報を示す図である。
【図６】本発明の支持体数量算出システムの実施の形態１、２に係る、支持体料金表示テーブルに格納される情報を示す図である。
【図７】本発明の支持体数量算出システムの実施の形態１、２に係る、第１表示画面を示す図である。
【図８】本発明の支持体数量算出システムの実施の形態１、２に係る、第２表示画面を示す図である。
【図９】本発明の支持体数量算出システムの実施の形態１、２に係る、第３表示画面を示す図である。
【図１０】本発明の支持体数量算出システムの実施の形態１、２に係る、第４表示画面を示す図である。
【図１１】本発明の支持体数量算出システムの実施の形態１、２に係る、行われる処理の全体の流れを示す図である。
【図１２】本発明の支持体数量算出システムの実施の形態１、２に係る、ステップ１ｇの処理の詳細を示す図である。
【図１３】本発明の支持体数量算出システムの実施の形態２に係る構成を示す図である。
【符号の説明】
１１：情報処理装置
１１ａ：記憶部
１１ｂ：抽出部
１１ｃ：算出部
１２：表示装置
１３：印刷装置
１４：入力装置
１Ｔ：第１支持体情報格納テーブル
２Ｔ：第２支持体情報格納テーブル
３Ｔ：第３支持体情報格納テーブル
ＳＴＰ１：第１蒸気タービン
ＧＴＰ：ガスタービン
ＳＴＰ２：第２蒸気タービン
ＳＴＰ３：第３蒸気タービン
１Ｔａ：オーダ番号
１Ｔｂ：系統名
１Ｔｃ：配管単位重量
１Ｔｄ：代表口径
１Ｔｅ：支持体構成
１Ｔｆ：支持体比率
１Ｔｊ：水・保温材の有無
４Ｔ：支持スパン表示テーブル
２８：支持スパン
５Ｔ：支持体料金表示テーブル
２９：型番
３０：料金単価
１ＴＴ：第１表示画面
２ＴＴ：第２表示画面
３ＴＴ：第３表示画面
４２：コスト
４３：詳細数量
４４：総コスト
３３：設定重量
２０：支持体情報
２３：タイプ別数量
４１：１点当たりの支持荷重
３６：水重量
３７：保温材重量
３４：配管長
３５：支持点数
３９：支持荷重
【図１】
2004054359.tif 000003
【図２】
2004054359.tif 000004
【図３】
2004054359.tif 000005
【図４】
2004054359.tif 000006
【図５】
2004054359.tif 000007
【図６】
2004054359.tif 000008
【図７】
2004054359.tif 000009
【図８】
2004054359.tif 000010
【図９】
2004054359.tif 000011
【図１０】
2004054359.tif 000012
【図１１】
2004054359.tif 000013
【図１２】
2004054359.tif 000014
【図１３】
2004054359.tif 000015